(57)【要約】【課題】  雄型と雌型のすり合わせを行うものであって、簡易な構成で安価な金型すり合わせ装置を提供する。【解決手段】  台座部と、振動部を備え、振動部は、台座部の上側に設けてあり、上下に振動するものであって、上面に金型を載置するものである。【選択図】      図１
2017205918.tif 000002
【特許請求の範囲】
【請求項１】
台座部と、振動部を備え、
振動部は、台座部の上側に設けてあり、上下に振動するものであって、上面に金型を載置するものであることを特徴とする金型すり合わせ装置。
【請求項２】
台座部は、水平軸周りに回転するカムを有しており、
振動部は、台座部に対して上下動自在に設けてあり、カムの回転により上下に振動するものであることを特徴とする請求項１記載の金型すり合わせ装置。
【発明の詳細な説明】
【技術分野】
【０００１】
本発明は、金型における雄型と雌型の分割面の凹凸を平らにするための金型すり合わせ装置に関する。
【背景技術】
【０００２】
樹脂の成型などに用いられる金型において、雄型と雌型の分割面の凹凸を平らにするための作業が行われる。従来、この作業の工程は、以下のようなものであった。まず、雄型と雌型の分割面に光明丹などの当たり検査剤を塗布する。続いて、雄型と雌型を組み合わせた状態でプレス機によって高圧をかけて、双方の分割面をすり合わせる。すると、分割面の凸部分にのみ検査剤が付着した状態となるので、その部分を手作業で削り取る。これを繰り返すことで、分割面が平面となる。
【発明の概要】
【発明が解決しようとする課題】
【０００３】
しかしながら、このような従来の方法は、高価な大型のプレス機を必要とするものだったため、そのような設備を持たない小規模の企業などでは、自前で金型を製造することが困難であった。
【０００４】
本発明は、上記事情を鑑みたものであり、雄型と雌型のすり合わせを行うものであって、簡易な構成で安価な金型すり合わせ装置を提供することを目的とする。
【課題を解決するための手段】
【０００５】
本発明のうち請求項１の発明は、台座部と、振動部を備え、振動部は、台座部の上側に設けてあり、上下に振動するものであって、上面に金型を載置するものであることを特徴とする。
【０００６】
本発明のうち請求項２の発明は、台座部は、水平軸周りに回転するカムを有しており、振動部は、台座部に対して上下動自在に設けてあり、カムの回転により上下に振動するものであることを特徴とする。
【発明の効果】
【０００７】
本発明のうち請求項１の発明によれば、振動部の上面に金型を載置した状態で振動部を振動させることで、雄型と雌型の分割面同士に繰り返し荷重が作用し、すり合わせが行われる。分割面に検査剤を塗布しておけば、分割面の凸部分にのみ検査剤が付着した状態となるので、その部分を手作業で削り取ることで、分割面が平面となる。従来のプレス機によるすり合わせと比べて、大きな力が必要なく、簡易な構成で安価な装置とすることができる。
【０００８】
本発明のうち請求項２の発明によれば、カムの回転により振動部を振動させる構成であり、一軸の回転動作機構のみで済むので、極めて簡易な構成で安価な装置とすることができる。
【図面の簡単な説明】
【０００９】
【図１】金型すり合わせ装置の正面方向断面図（図３のＡ−Ａ線断面図）である。
【図２】金型すり合わせ装置の側面方向断面図（図３のＢ−Ｂ線断面図）である。
【図３】金型すり合わせ装置の平面図である。
【図４】ガイド軸およびストップボルトの説明図（図３のＣ−Ｃ線断面図）である。
【図５】（ａ）〜（ｃ）は金型すり合わせ装置の動作の説明図である。
【図６】（ａ）〜（ｄ）は金型すり合わせ装置を用いた作業手順の説明図である。
【発明を実施するための形態】
【００１０】
本発明の金型すり合わせ装置の具体的な構成について、各図面に基づいて説明する。図１〜図３に示すように、この金型すり合わせ装置は、台座部１と、振動部２と、モータ４と、基盤５を備える。台座部１は、金属製の直方体形のブロックからなり、基盤５の上面に固定されている。台座部１には、一の側面から対向する他の側面へと貫通する貫通孔１１を形成してあり、貫通孔１１の両端部に、環状の軸受１２を取り付けてあって、両軸受１２および貫通孔１１を、水平方向に延びるシャフト６が貫通している。シャフト６は水平軸周りに回転自在であり、一端は、台座部１の側面と面一であって、抜け止めのための当て板６１を取り付けてあり、他端は、台座部１の側面から突出している。また、台座部１の、両軸受１２の内側部分には、それぞれ上面に開口する挿入凹部１３を形成してあり、両挿入凹部１３内に、それぞれカム３を挿入してある。カム３は、円盤状のものであって、図２の状態に基づけば、円の左上の１／４の扇形部分を下方にずらし、右下の１／４の扇形部分を上方にずらした形状で、周縁部の対向する位置に２つの段部３１を有する。そして、中心に形成した孔をシャフト６が貫通しており、キー３２を挿入してカム３とシャフト６を固定してある。よって、カム３はシャフト６とともに水平軸周りに回転するものであり、その回転方向は、図２において時計回り方向である。さらに、図３および図４に示すように、台座部１の四隅には、略丸棒形状のガイド軸１４を設けてある。ガイド軸１４は、台座部１を上下に貫通していて、上面から突出している。
【００１１】
振動部２は、台座部１の上側に載置してあり、台座部１の上面と同じ大きさの板状のものである。台座部１の四隅のガイド軸１４に対応する位置には、上下に貫通する孔を有する筒部材２１を埋め込んであり、筒部材２１にガイド軸１４が挿通自在となっていて、振動部２が台座部１に対して上下動自在となっている。また、振動部２の下面には、台座部１に設けたカム３に対応する２箇所に、カム受け７を取り付けてある。カム受け７は、図１および図２に示すように、ブロック状のものであって、振動部２の上面側からボルト止めしてある。カム受け７の下面は２段の階段状になっており、カム３の回転方向の前側が上段面７１、後側が下段面７２となっていて、下段面７２がカム３の外周面に対向する曲面となっている。そして、図２に示すように、振動部２の下面が台座部１の上面に当接した状態で、カム３の段部３１がカム受け７の上段面７１から僅かに離隔した状態となっている。さらに、図３および図４に示すように、シャフト６の両側の位置（図１におけるシャフト６の手前側と奥側の位置）に、ストップボルト２２を計４本取り付けてある。ストップボルト２２は、振動部２の上面からねじ込んであって、下方に向けて突出しており、先端部は、台座部１の対応位置に形成した上下に貫通する挿入孔１５に挿入されている。挿入孔１５は、上下方向中間部で径が変わっており、上部よりも下部が大径になっていて、変わり目が係止部１６となっている。ストップボルト２２の先端は、挿入孔１５の大径の下部に達しており、先端部にナット２３を螺合してある。ナット２３の直径は挿入孔１５の上部の径よりも大きく、ナット２３が係止部１６に係止することで、振動部２の所定位置より上方への移動が規制されている。そして、振動部２の上面は平面状になっており、金型１００を載置できるようになっている。
【００１２】
モータ４は、台座部１に隣接して基盤５の上面に固定されている。モータ４の駆動軸４１が、台座部１に取り付けたシャフト６と同軸に位置しており、駆動軸４１とシャフト６がカップリング８により接続されている。
【００１３】
このように構成した装置は、モータ４を駆動させることで、駆動軸４１、シャフト６およびカム３が回転する。すると、図５（ａ）に示すように、カム３の回転に伴って、カム３の外周面がカム受け７の下段面７２を押し上げていき、台座部１に対して振動部２が上昇する。そして、図５（ｂ）に示すように、カム３の段部３１がカム受け７の下段面７２の端部（下段面７２と上段面７１の境目）に達したときに、振動部２は最上部に位置し、図５（ｃ）に示すように、カム３の段部３１が下段面７２を通過すると、振動部２は重力により落下する。カム３は２つの段部３１を有するので、振動部２の一連の上昇と下降はカム３の半回転ごとに繰り返され、振動部２がカム３の回転により上下に振動する。なお、振動部２は、ガイド軸１４に沿って上下動するものであり、さらにストップボルト２２により上方への移動が規制されているので、振動時に振動部２が一定の高さで水平を保つ。
【００１４】
次に、この金型すり合わせ装置を使用する際の手順を説明する。まず、図６（ａ）に示すように、振動部２の上面に、金型１００の雄型（コア、可動側）１０１を載置して固定する。次に、図６（ｂ）に示すように、金型１００の雌型（キャビティ、固定側）１０２の分割面に検査剤２００を塗布し、雌型１０２を雄型１０１に被せる。次に、図６（ｃ）に示すように、装置を起動して、振動部２を上下に振動させる。すると、雄型１０１と雌型１０２の分割面同士に繰り返し荷重が作用し、すり合わせが行われる。その結果、図６（ｄ）に示すように、分割面の凸部分にのみ検査剤２００が付着した状態となるので、その部分を工具により手作業で削り取る。これを数回繰り返すことで、分割面が平面となる。
【００１５】
このように、本発明の金型すり合わせ装置によれば、振動部２の振動により金型１００のすり合わせが行われ、従来のプレス機によるすり合わせと比べて、大きな力が必要なく、簡易な構成で安価な装置とすることができる。そして特に、カム３の回転により振動部２を振動させる構成であり、一軸の回転動作機構（モータ４）のみで済むので、極めて簡易な構成で安価な装置とすることができる。
【００１６】
本発明は、上記の実施形態に限定されない。たとえば、振動部を振動させる機構については、どのようなものであってもよい。また、振動部は、載置する金型に応じた形状とすることができる。さらに、振動部は少なくとも台座部の上側に設けてあればよく、両者がどのように係合していてもよいが、振動により振動部が脱落しない構成とすることが望ましい。
【符号の説明】
【００１７】
１  台座部
２  振動部
３  カム
【図１】
2017205918.tif 000003
【図２】
2017205918.tif 000004
【図３】
2017205918.tif 000005
【図４】
2017205918.tif 000006
【図５】
2017205918.tif 000007
【図６】
2017205918.tif 000008